(57)【要約】【課題】本発明は、桁用ケーブルの提供方法に関し、ケーブルの保管や防錆対策において、省スペースで保管し、コスト低減やケーブル配設作業の省力化を実現することが課題である。【解決手段】所望長さの筒状のシース２と、該シースに挿入された所望長さの桁用のケーブル３と、前記シースの両端開口部を閉蓋するキャップ４とで構成されるシース組立体１を形成し、前記シースに内包されたケーブルをリング状の荷姿にして上下方向に１段以上に積み重ねて輸送手段で施工現場に輸送し、前記リング状の荷姿のシース組立体１を直線状に解き、前記キャップ４を前記シース２から取り外して桁用型枠内に前記シース２及び前記ケーブル３を配設する桁用ケーブルの提供方法である。【選択図】図１
2006118195.tif 000002
【特許請求の範囲】
【請求項１】
所望長さの筒状のシースと、該シースに挿入された所望長さの桁用のケーブルと、前記シースの両端開口部を閉蓋するキャップとで構成されるシース組立体を形成し、前記シースに内包されたケーブルをリング状の荷姿にして上下方向に１段以上に積み重ねて輸送手段で施工現場に輸送し、前記リング状の荷姿のシース組立体を直線状に解き、前記キャップを前記シースから取り外して桁用型枠内に前記シース及び前記ケーブルを配設すること、
を特徴とする桁用ケーブルの提供方法。
【請求項２】
シースの長さを可変できるオーバーシースがシースに少なくとも片側に接続され、そのオーバーシースの端部にキャップが閉蓋されていること、
を特徴とする請求項１に記載の桁用ケーブルの提供方法。
【請求項３】
オーバーシースの開口部とこれを閉蓋するキャップとの間に、定着部シースが介在されること、
を特徴とする請求項１または２に記載の桁用ケーブルの提供方法。
【発明の詳細な説明】
【技術分野】
【０００１】
本発明は、例えば、コンクリート構造物の橋桁等において、ＰＣケーブルによるプレストレスを導入するための、桁用ケーブルの提供方法に関するものである。
【背景技術】
【０００２】
従来、例えば、コンクリート製の橋桁等を構築する場合に、ポストテンション方式でＰＣケーブルにより当該橋桁にプレストレスを導入するには、その現場にＰＣケーブルと、シースと、を別々に搬入して、まず橋桁用の型枠に前記シースを設置する。そして、その型枠内にコンクリートを打設して、所要の強度発現させ硬化させた後に、前記シースにＰＣケーブルを挿入して定着具間に架設し、ジャッキなどで引張力を付与している。所要の緊張力を付与した後に、前記シースとＰＣケーブルとの間に防錆用のグラウト材を充填しているものが知られている（特許文献１参照）。
【特許文献１】特開２００３−１８４３１１号公報
【発明の開示】
【発明が解決しようとする課題】
【０００３】
従来の桁用ケーブルの提供方法では、作業現場にＰＣケーブルとシースとを別々に搬入して、それにシート等の防錆用具を掛けて保管している。
【０００４】
しかしながら、このように別々に搬入・保管するのでは、運搬の手間が掛かると共に、置くスペースが広くなって保管場所に困る。また、型枠にシースを設置した後に、ＰＣケーブルを前記シースに挿入する作業工程が必要となって工期が長期化する。
本発明はこのような課題を解決するために提案されたものである。
【課題を解決するための手段】
【０００５】
本発明に係る桁用ケーブルの提供方法の上記課題を解決して目的を達成するための要旨は、 所望長さの筒状のシースと、該シースに挿入された所望長さの桁用のケーブルと、前記シースの両端開口部を閉蓋するキャップとで構成される、前記シースに内包されたケーブルをリング状の荷姿にして上下方向に１段以上に積み重ねて輸送手段で施工現場に輸送し、前記リング状の荷姿のシース及びケーブルを直線状に解き、前記キャップを前記シースから取り外して桁用型枠内に前記シース及び前記ケーブルを配設することである。
【０００６】
前記シースの長さを可変できるオーバーシースがシースに少なくとも片側に接続され、そのオーバーシースの端部にキャップが閉蓋されていること、；
前記オーバーシースの開口部とこれを閉蓋するキャップとの間に、定着部シースが介在されること、；
を含むものである。
【発明の効果】
【０００７】
本発明の桁用ケーブルの提供方法によれば、ポストテンション用のケーブルを予め工場において、シースに内包させた状態で現場に搬入される。よって、品質管理が万全であり、又、作業現場においては、シースとケーブルとの両方の保管場所が不要となり、半分の保管スペースで済むと共に在庫管理が容易となる。また、キャップによって前記シースの両端開口部が閉蓋されているので、雨水等の浸入が無く、前記ケーブルの防錆対策として優れている。
更に、桁用の型枠に、前記シースとケーブルとが一緒に配設されることになるので、作業が１回で済むことになり、作業能率が向上する。よってコストダウンにも大きな効果がある。
【０００８】
前記シースに長さ調整用のオーバーシースを設けることで、シースの寸法調整が容易となる。また、定着部シースを介在させることで、シース内部へのグラウトの充填作業の準備が容易となり、グラウト作業の工期短縮となる。よってコストダウンに大きな効果がある。
【発明を実施するための最良の形態】
【０００９】
本発明に係る桁用ケーブルの提供方法は、図１に示すように、例えば、ポリエリレン製等の合成樹脂製若しくは鋼製で、所望長さの筒状のシース２と、該シース２に挿入された所望長さの桁用のケーブル３と、前記シース２の両端開口部を閉蓋するキャップ４とで構成されるシース組立体１が形成される。
【００１０】
前記シース２は、図４に示すような、例えば螺旋状の凹凸を有する断面をし、構築対象の橋桁の長さに対応した長さであり、桁用の型枠内部に支持具で支持されて配設される。また、前記ケーブル３は、このシース２の両端部から突出し、橋桁の両端部で定着具及びジャッキが取り付けられて緊張作業ができる程度の長さにされている。
【００１１】
前記キャップ４は、シース２と同じ材質であり、合成樹脂製若しくは鋼製である。そのほか、鉄製若しくはゴム製の場合もある。その長さは、単にキャップ型だけの場合のものと、前記シース２と同様の部分を一体有して、１ｍ程度のものまである。
【００１２】
図２に示すように、シースの長さ調節のために、オーバーシース２ａが用意される場合のシース組立体１ａもある。このオーバーシース２ａとシース２との繋ぎ目には、テーピングを施す。更に、図３に示すように、シース２又はシース２ａの端部に、グラウト注入用の定着具シース５を接続して、キャップ４を取り付けたシース組立体１ｂとするものもある。
【００１３】
図５（Ａ）に示すように、シース２の途中に定着具シース５が設けられるものであり、符号５ａは、グラウト材の注入口を示す。また、図５（Ｂ）に示すように、シースの接続において、直径の異なるシースを接続できるように、予め複数の異なる径の接続部５ｂ，５ｃ，５ｄを一体成形しておく。こうして、接続相手側の径に合わせて適宜に切断して使用する。例えば、接続部５ｃを使用したければ、接続部５ｂとの間における段部の部位でカットするのである。
【００１４】
そして、前記シース組立体１は、図６に示すように、前記シース２に内包されたケーブル３をリング状の荷姿にして上下方向に１段以上に積み重ねて、トラック等の輸送手段で施工現場に輸送される。前記リング状の荷姿のシース組立体１を直線状に解き、現場のサイトに載置され、保管される。ケーブル３は、シース２とキャップ４とにより保護されて、雨などの水分による錆の心配が不要となる。そして、使用に際しては、テーピングを剥がして前記キャップ４を前記シース２の両端部から取り外し、桁用型枠内に前記シース２及び前記ケーブル３を支持具で支持させて、同時に配設する。
【００１５】
その後、桁用型枠内にコンクリートを打設し、このコンクリートが所要の強度を発現した後に、ケーブル３の端部に、定着具とジャッキとを取付けて、所要の緊張力で緊張する。こうして、橋桁等にプレストレスが、ポストテンション方式で付与されるものである。
【図面の簡単な説明】
【００１６】
【図１】本発明に係る桁用ケーブルの提供方法におけるケーブル組立体１の正面図である。
【図２】同ケーブル組立体１ａの正面図である。
【図３】同ケーブル組立体１ａの正面図である。
【図４】シース２の一部における半断面図である。
【図５】定着具シース５の例を示す正面図（Ａ），（Ｂ）である。
【図６】ケーブル組立体１の荷姿を示す説明図である。
【符号の説明】
【００１７】
１，１ａ，１ｂ          ケーブル組立体、
２          シース、                      ２ａ      オーバーシース、
３          ケーブル、
４          キャップ、                    
５          定着具シース、                ５ａ        注入口、
５ｂ，５ｃ，５ｄ        接続部。
【図１】
2006118195.tif 000003
【図２】
2006118195.tif 000004
【図３】
2006118195.tif 000005
【図４】
2006118195.tif 000006
【図５】
2006118195.tif 000007
【図６】
2006118195.tif 000008